(57)【要約】  装置、方法、及びコンピュータプログラムが開示され、該装置は、処理回路と、コンピュータプログラムコードを含むメモリ回路と、を具備し、該メモリ回路及び該コンピュータプログラムコードは、該処理回路とともに、該装置が、ユーザが外部表示エリア又は内部表示エリアを観察しているかどうかを検出するステップと、ユーザが該内部表示エリアを観察していることを検出するのに応答して、該内部表示エリア用の画像を提供するように画像供給源を制御するステップと、ユーザが該外部表示エリアを観察していることを検出するのに応答して、該外部表示エリア用の画像を提供するように画像供給源を制御するステップと、を実行することを可能にするように構成されている。【特許請求の範囲】
【請求項１】
装置であって、
処理回路と、
コンピュータプログラムコードを含むメモリ回路と、
を具備し、
前記メモリ回路及び前記コンピュータプログラムコードは、前記処理回路とともに、前記装置が、
ユーザが外部表示エリア又は内部表示エリアを観察しているかどうかを検出するステップと、
ユーザが前記内部表示エリアを観察していることを検出するのに応答して、前記内部表示エリア用の画像を提供するように画像供給源を制御するステップと、
ユーザが前記外部表示エリアを観察していることを検出するのに応答して、前記外部表示エリア用の画像を提供するように画像供給源を制御するステップと、
を実行することを可能にするように構成されている、装置。
【請求項２】
前記内部表示エリアは、ユーザの眼の近傍において位置決めされるように構成されており、且つ、前記外部表示エリアは、前記内部表示エリアとは反対の前記装置の側において位置決めされるように構成されている、請求項１に記載の装置。
【請求項３】
前記処理回路及び前記メモリ回路は、前記内部表示エリア用の第一フォーマット及び前記外部表示エリア用の第二フォーマットにおいて画像を提供するべく画像供給源を制御するように構成されている、請求項１又は請求項２に記載の装置。
【請求項４】
前記処理回路及び前記メモリ回路は、前記内部表示エリア上における表示用の第一向き及び前記外部表示エリア上における表示用の第二向きにおいて画像を提供するべく供給源を制御するように構成されている、請求項１から請求項３までのいずれか一項に記載の装置。
【請求項５】
前記処理回路及び前記メモリ回路は、前記内部表示エリア上における表示用の第一収束点及び前記外部表示エリア上における表示用の第二収束点を有する画像を提供するべく画像供給源を制御するように構成されている、請求項１から請求項４までのいずれか一項に記載の装置。
【請求項６】
前記処理回路及び前記メモリ回路は、前記内部表示エリア用の第一画像を提供するべく第一画像供給源を制御し、且つ、前記外部表示エリア用の第二画像を提供するべく第二画像供給源を制御するように、構成されている、請求項１から請求項５までのいずれか一項に記載の装置。
【請求項７】
前記外部表示エリア内において表示される前記画像は、低エネルギーモードにおいて表示される、請求項１から請求項６までのいずれか一項に記載の装置。
【請求項８】
前記処理回路及び前記メモリ回路は、ユーザ入力信号を取得し、且つ、前記取得されたユーザ入力信号に応答して前記画像供給源によって提供される前記画像を制御するように、構成されている、請求項１から請求項７までのいずれか一項に記載の装置。
【請求項９】
請求項１から請求項８までのいずれか一項に記載の装置を具備するニアアイディスプレイ。
【請求項１０】
方法であって、
ユーザが外部表示エリア又は内部表示エリアを観察しているかどうかを検出するステップと、
ユーザが前記内部表示エリアを観察していることを検出するのに応答して、前記内部表示エリア用の画像を提供するように画像供給源を制御するステップと、
ユーザが前記外部表示エリアを観察していることを検出するのに応答して、前記外部表示エリア用の画像を提供するように画像供給源を制御するステップと、
を具備する方法。
【請求項１１】
前記内部表示エリアは、ユーザの眼の近傍において位置決めされるように構成されており、且つ、前記外部表示エリアは、前記内部表示エリアとは反対の装置の側において位置決めされるように構成されている、請求項１０に記載の方法。
【請求項１２】
前記内部表示エリア用の第一フォーマット及び前記外部表示エリア用の第二フォーマットにおいて画像を提供するように画像供給源を制御するステップを更に具備する、請求項１０又は請求項１１に記載の方法。
【請求項１３】
前記内部表示エリア上における表示用の第一向き及び前記外部表示エリア上における表示用の第二向きにおいて画像を提供するように画像供給源を制御するステップを更に具備する、請求項１０から請求項１２までのいずれか一項に記載の方法。
【請求項１４】
前記内部表示エリア上における表示用の第一収束点及び前記外部表示エリア上における表示用の第二収束点を有する画像を提供するように画像供給源を制御するステップを更に具備する、請求項１０から請求項１３までのいずれか一項に記載の方法。
【請求項１５】
コンピュータプログラム命令を具備するコンピュータプログラムであって、前記コンピュータプログラム命令は、処理回路によって実行された際に、
ユーザが外部表示エリア又は内部表示エリアを観察しているかどうかを検出するステップと、
ユーザが前記内部表示エリアを観察していることを検出するのに応答して、前記内部表示エリア用の画像を提供するように画像供給源を制御するステップと、
ユーザが前記外部表示エリアを観察していることを検出するのに応答して、前記外部表示エリア用の画像を提供するように画像供給源を制御するステップと、
を可能にする、コンピュータプログラム。
【発明の詳細な説明】
【技術分野】
【０００１】
本開示の例は、画像を提供する装置、方法、及びコンピュータプログラムに関する。具体的には、本開示の例は、ニアアイ（near eye）ディスプレイなどの装置において画像を提供する装置、方法、及びコンピュータプログラムに関する。
【背景技術】
【０００２】
ニアアイディスプレイなどの装置が知られている。このような装置は、ディスプレイ又はスキャナなどの画像供給源からの画像の、ユーザの眼の近傍における提供を可能にする。このような装置は、仮想又は拡張現実アプリケーションを実装するべく、使用することができる。
【０００３】
このような装置においては、画像の効率的な提供を保証することが有用である。
【発明の概要】
【０００４】
様々な、但し、必ずしもすべてではない、本開示の例によれば、装置が提供されてもよく、装置は、処理回路と、コンピュータプログラムコードを含むメモリ回路と、を具備し、メモリ回路及びコンピュータプログラムコードは、処理回路とともに、装置が、ユーザが外部表示エリア又は内部表示エリアを観察しているかどうかを検出するステップと、ユーザが内部表示エリアを観察していることを検出するのに応答して、内部表示エリア用の画像を提供するように画像供給源を制御するステップと、ユーザが外部表示エリアを観察していることを検出するのに応答して、外部表示エリア用の画像を提供するように画像供給源を制御するステップと、を実行することを可能にするように構成されている。
【０００５】
いくつかの例においては、内部表示エリアは、ユーザの眼の近傍において位置決めされるように構成されていてもよく、且つ、外部表示エリアは、内部表示エリアとは反対の装置の側において位置決めされるように構成されていてもよい。
【０００６】
いくつかの例においては、処理回路及びメモリ回路は、内部表示エリア用の第一フォーマット及び外部表示エリア用の第二フォーマットにおいて画像を提供するべく画像供給源を制御するように構成されていてもよい。
【０００７】
いくつかの例においては、処理回路及びメモリ回路は、内部表示エリア上における表示用の第一向き及び外部表示エリア上における表示用の第二向きにおいて画像を提供するべく画像供給源を制御するように構成されていてもよい。
【０００８】
いくつかの例においては、処理回路及びメモリ回路は、内部表示エリア上における表示用の第一収束点及び外部表示エリア上における表示用の第二収束点を有する画像を提供するべく画像供給源を制御するように構成されていてもよい。
【０００９】
いくつかの例においては、処理回路及びメモリ回路は、内部表示エリア用の第一画像を提供するべく第一画像供給源を制御し、且つ、外部表示エリア用の第二画像を提供するべく第二画像供給源を制御するように、構成されていてもよい。
【００１０】
いくつかの例においては、外部表示エリア内において表示される画像は、低エネルギーモードにおいて表示されてもよい。
【００１１】
いくつかの例においては、処理回路及びメモリ回路は、ユーザ入力信号を取得し、且つ、取得されたユーザ入力信号に応答して画像供給源によって提供される画像を制御するように、構成されていてもよい。
【００１２】
様々な、但し、必ずしもすべてではない、本開示の例によれば、上述の装置を具備するニアアイディスプレイが提供されてもよい。
【００１３】
様々な、但し、必ずしもすべてではない、本開示の例によれば、方法が提供されてもよく、方法は、ユーザが外部表示エリア又は内部表示エリアを観察しているかどうかを検出するステップと、ユーザが内部表示エリアを観察していることを検出するのに応答して内部表示エリア用の画像を提供するように画像供給源を制御するステップと、ユーザが外部表示エリアを観察していることを検出するのに応答して外部表示エリア用の画像を提供するように画像供給源を制御するステップと、を具備する。
【００１４】
いくつかの例においては、内部表示エリアは、ユーザの眼の近傍において位置決めされるように構成されていてもよく、且つ、外部表示エリアは、内部表示エリアとは反対の装置の側において位置決めされるように構成されている。
【００１５】
いくつかの例においては、方法は、内部表示エリア用の第一フォーマット及び外部表示エリア用の第二フォーマットにおいて画像を提供するように画像供給源を制御するステップを更に具備していてもよい。
【００１６】
いくつかの例においては、方法は、内部表示エリア上における表示用の第一向き及び外部表示エリア上における表示用の第二向きにおいて画像を提供するように画像供給源を制御するステップを更に具備していてもよい。
【００１７】
いくつかの例においては、方法は、内部表示エリア上における表示用の第一収束点及び外部表示エリア上における表示用の第二収束点を有する画像を提供するように画像供給源を制御するステップを更に具備していてもよい。
【００１８】
いくつかの例においては、方法は、内部表示エリア用の第一画像を提供するように第一画像供給源を制御するステップと、外部表示エリア用の第二画像を提供するように第二画像供給源を制御するステップと、を更に具備していてもよい。
【００１９】
いくつかの例においては、外部表示エリア内において表示される画像は、低エネルギーモードにおいて表示されてもよい。
【００２０】
いくつかの例においては、方法は、ユーザ入力信号を取得するステップと、取得されたユーザ入力信号に応答して画像供給源によって提供される画像を制御するステップと、を更に具備していてもよい。
【００２１】
様々な、但し、必ずしもすべてではない、本開示の例によれば、コンピュータプログラム命令を具備するコンピュータプログラムが提供されてもよく、コンピュータプログラム命令は、処理回路によって実行された際に、ユーザが外部表示エリア又は内部表示エリアを観察しているかどうかを検出するステップと、ユーザが内部表示エリアを観察していることを検出するのに応答して内部表示エリア用の画像を提供するように画像供給源を制御するステップと、ユーザが外部表示エリアを観察していることを検出するのに応答して外部表示エリア用の画像を提供するように画像供給源を制御するステップと、を可能にする。
【００２２】
様々な、但し、必ずしもすべてではない、本開示の例によれば、コンピュータが上述の方法を実行するようにするプログラム命令を具備するコンピュータプログラムが提供されてもよい。
【００２３】
様々な、但し、必ずしもすべてではない、本開示の例によれば、上述のコンピュータプログラムを実施した物理的エンティティが提供されてもよい。
【００２４】
様々な、但し、必ずしもすべてではない、本開示の例によれば、上述のコンピュータプログラムを搬送する電磁搬送波信号が提供されてもよい。
【００２５】
様々な、但し、必ずしもすべてではない、本開示の例によれば、装置が提供されてもよく、装置は、少なくとも一つの画像供給源と、ユーザの眼の近傍において位置決めされるように構成された内部表示エリアと、内部表示エリアとは反対の装置の側において位置決めされるように構成された外部表示エリアと、少なくとも一つの画像供給源からの画像の内部表示エリア及び外部表示エリア上における表示を可能にするように構成された少なくとも一つの光学投射要素と、ユーザが外部表示エリアを観察しているかどうかを検出するように構成された一つ以上の検出器と、を具備し、この場合に、少なくとも一つの画像供給源は、ユーザが外部表示エリアを観察しているという検出に応答して外部表示エリア用の画像を提供するように構成されている。
【００２６】
いくつかの例においては、装置は、ユーザが内部表示エリアを観察しているかどうかを検出するように構成された一つ以上の検出器を具備していてもよく、この場合に、少なくとも一つの光学投射要素は、ユーザが内部表示エリアを観察しているという検出に応答して内部表示エリア上において画像を表示するように制御されている。
【００２７】
いくつかの例においては、装置は、第一画像供給源からの画像の内部表示エリア上における表示を可能にするように構成された第一光学投射要素と、第二画像供給源からの画像の外部表示エリア上における表示を可能にするように構成された第二光学投射要素と、を具備していてもよい。
【００２８】
様々な、但し、必ずしもすべてではない、本開示の例によれば、添付の請求項において特許請求されている例が提供されてもよい。
【図面の簡単な説明】
【００２９】
以下、詳細な説明を理解するために有用な様々な例の更に十分な理解のために、一例としてのみ、添付の図面を参照することとする。図面において：
【００３０】
【図１】図１は、装置を示す。
【図２】図２は、ニアアイディスプレイなどの装置を示す。
【図３】図３は、例示用の一方法を示す。
【図４】図４は、使用中である例示用の一装置を示す。
【図５Ａ】図５Ａ及び図５Ｂは、使用中である例示用の一装置を示す。
【図５Ｂ】図５Ａ及び図５Ｂは、使用中である例示用の一装置を示す。
【図６Ａ】図６Ａ〜図６Ｄは、例示用の一装置を示す。
【図６Ｂ】図６Ａ〜図６Ｄは、例示用の一装置を示す。
【図６Ｃ】図６Ａ〜図６Ｄは、例示用の一装置を示す。
【図６Ｄ】図６Ａ〜図６Ｄは、例示用の一装置を示す。
【図７Ａ】図７Ａ〜図７Ｃは、例示用の一装置を示す。
【図７Ｂ】図７Ａ〜図７Ｃは、例示用の一装置を示す。
【図７Ｃ】図７Ａ〜図７Ｃは、例示用の一装置を示す。
【図８Ａ】図８Ａ〜図８Ｃは、例示用の一装置を示す。
【図８Ｂ】図８Ａ〜図８Ｃは、例示用の一装置を示す。
【図８Ｃ】図８Ａ〜図８Ｃは、例示用の一装置を示す。
【図９Ａ】図９Ａ〜図９Ｃは、例示用の一装置を示す。
【図９Ｂ】図９Ａ〜図９Ｃは、例示用の一装置を示す。
【図９Ｃ】図９Ａ〜図９Ｃは、例示用の一装置を示す。
【図１０Ａ】図１０Ａ及び図１０Ｂは、例示用の一装置を示す。
【図１０Ｂ】図１０Ａ及び図１０Ｂは、例示用の一装置を示す。
【発明を実施するための形態】
【００３１】
添付図面は、処理回路５と、コンピュータプログラムコード１１を含むメモリ回路７と、を具備する装置１を示しており、メモリ回路７及びコンピュータプログラムコード１１は、処理回路５により、装置１が、ユーザが外部表示エリア２５又は内部表示エリア２４を観察しているかどうかを検出するステップと、ユーザが外部表示エリア２４を観察していることを検出するのに応答して内部表示エリア２４用の画像を提供するように画像供給源２３を制御するステップと、ユーザが外部表示エリア２５を観察していることを検出するのに応答して外部表示エリア２５用の画像を提供するように画像供給源２３を制御するステップと、を実行することを可能にするように構成されている。
【００３２】
装置１は、画像を提供するためのものであってもよい。装置１は、ニアアイディスプレイ２１などの電子装置を制御するためのものであってもよい。
【００３３】
本開示の例は、ニアアイディスプレイ２１などの装置の効率的な制御を可能にする装置１、方法、及びコンピュータプログラムを提供する。ニアアイディスプレイ２１は、ユーザがニアアイディスプレイ２１を装用している場合に、画像を内部表示エリア２４に提供するように構成されていてもよい。又、装置１は、ユーザがニアアイディスプレイ２１を装用していない場合に、画像を外部表示エリア２５に提供するように構成されていてもよい。これは、ユーザによるニアアイディスプレイ２１からの情報の迅速な取得を可能にし得る。いくつかの例においては、装置１は、別のユーザがニアアイディスプレイ２１を装用しているユーザを見ている場合に、画像を外部表示エリア２５に提供するように構成されていてもよい。これは、内部表示エリア２４から漏洩する光を利用してもよく、且つ、ニアアイディスプレイ２１の効率を改善し得る。
【００３４】
図１は、本開示の実装形態において使用され得る例示用の装置１を概略的に示している。図１の例示用の装置は、チップ又はチップセットであってもよい。いくつかの例においては、装置１は、ニアアイディスプレイ２１などの電子装置内において、或いは、任意のその他の適切な装置内において、提供されてもよい。
【００３５】
例示用の装置１は、制御回路３を具備する。装置１が、ニアアイディスプレイ２１などの装置内において提供されている場合には、制御回路３は、ニアアイディスプレイ２１の機能の制御を可能にしてもよく、例えば、制御回路３は、表示エリア２４、２５上において提供される画像を制御してもよい。
【００３６】
制御回路３は、一つ以上のコントローラを具備していてもよい。制御回路３は、例えば、汎用又は特殊目的処理回路５によって実行されるべくコンピュータ可読ストレージ媒体（ディスク、メモリなど）上において保存され得る実行可能コンピュータプログラム命令を汎用又は特殊目的処理回路５内において使用することにより、ハードウェア機能を可能にする命令を使用して実装されてもよい。
【００３７】
処理回路５は、メモリ回路７から読み取るように、且つ、メモリ回路７に書き込むように構成されていてもよい。処理回路５は、一つ以上のプロセッサを具備していてもよい。又、処理回路５は、データ及び／又はコマンドが処理回路５によって出力される出力インタフェースと、データ及び／又はコマンドが処理回路５に入力される入力インタフェースと、を具備していてもよい。
【００３８】
メモリ回路７は、処理回路５内に読み込まれた際に装置１の動作を制御するコンピュータプログラム命令（コンピュータプログラムコード１１）を具備するコンピュータプログラム９を保存するように構成されていてもよい。コンピュータプログラム９のコンピュータプログラム命令は、装置１による図３に示されている例示用の方法の実行を可能にするロジック及びルーチンを提供している。処理回路５は、メモリ回路７を読み取ることにより、コンピュータプログラム９を読み込むことが可能であり、且つ、実行することができる。
【００３９】
図１の例示用の装置においては、情報１３は、メモリ回路７内において保存されてもよい。本開示の例のいくつかにおいては、情報１３は、メモリ回路７から取得されてもよく、且つ、処理回路５によって使用されてもよい。いくつかの例においては、装置１は、ユーザに対する情報１３の表示を可能にするように構成されていてもよい。装置１は、一つ以上の表示エリア２４、２５上における画像の表示を可能にするべく、情報１３を画像供給源に提供するように構成されていてもよい。
【００４０】
従って、装置１は、処理回路５と、コンピュータプログラムコード１１を含むメモリ回路７と、を具備し、メモリ回路７及びコンピュータプログラムコード１１は、処理回路５により、装置１が、ユーザが外部表示エリア２５又は内部表示エリア２４を観察しているかどうかを検出するステップと、ユーザが内部表示エリア２４を観察していることを検出するのに応答して内部表示エリア２４用の画像を提供するように画像供給源２３を制御するステップと、ユーザが外部表示エリア２５を観察していることを検出するのに応答して外部表示エリア２５用の画像を提供するように画像供給源２３を制御するステップと、を実行することを可能にするように構成されている。
【００４１】
コンピュータプログラム９は、任意の適切な供給メカニズムを介して装置１に到達し得る。供給メカニズムは、例えば、一時的ではないコンピュータ可読ストレージ媒体、コンピュータプログラムプロダクト、メモリ装置、コンパクトディスク読み出し専用メモリ（ＣＤ−ＲＯＭ：Compact Disc Read-Only Memory）又はデジタルバーサタイルディスク（ＤＶＤ：Digital Versatile Disc）などの記録媒体、コンピュータプログラムを有体的に実施した製造物品であってもよい。供給メカニズムは、コンピュータプログラム９を確実に転送するように構成された信号であってもよい。装置１は、コンピュータデータ信号としてコンピュータプログラム９を伝播させてもよく、或いは、送信してもよい。
【００４２】
メモリ回路７は、添付の図においては、単一のコンポーネントとして示されているが、これは、一つ以上の別個のコンポーネントとして実装されてもよく、これらのコンポーネントのうちのいくつか又はすべては、一体化されていてもよく／着脱自在であってもよく、且つ／又は、永久的な／半永久的な／動的な／キャッシング型のストレージを提供してもよいことを理解されたい。
【００４３】
処理回路５は、添付の図には、単一のコンポーネントとして示されているが、これは、一つ以上の別個のコンポーネントとして実装されてもよく、これらのコンポーネントのうちのいくつか又はすべては、統合されてもよく／着脱自在であってもよいことを理解されたい。
【００４４】
「コンピュータ可読ストレージ媒体」、「コンピュータプログラムプロダクト」、「有体的に実施されたコンピュータプログラム」など、或いは、「コントローラ」、「コンピュータ」、「プロセッサ」など、に対する参照は、シングル／マルチプロセッサアーキテクチャ及びシーケンシャル（フォンノイマン）／パラレルアーキテクチャなどの様々なアーキテクチャを有するコンピュータのみならず、フィールドプログラム可能なゲートアレイ（ＦＰＧＡ：Field-Programmable Gate Array）、用途固有の集積回路（ＡＳＩＣ：Application Specific Integrated Circuit）、信号処理装置、及びその他の処理回路などの専門的な回路をも含むものと理解されたい。コンピュータプログラム、命令、コードなどに対する参照は、例えば、プロセッサ用の命令であるのか、或いは、固定機能の装置、ゲートアレイ、又はプログラム可能な論理装置など用の構成設定であるかを問わず、ハードウェア装置のプログラム可能なコンテンツなどの、プログラム可能なプロセッサ用のソフトウェア又はファームウェアを含むものと理解されたい。
【００４５】
本出願において使用されている「回路」という用語は、以下のうちのすべてを意味している：
（ａ）ハードウェアのみの回路実装形態（アナログ及び／又はデジタル回路のみにおける実装形態など）、
（ｂ）（適用可能である場合に）（ｉ）一つ以上のプロセッサの組合せ、又は（ｉｉ）（携帯電話機又はサーバなどの装置が様々な機能を実行するようにするべく協働する一つ以上のデジタル信号プロセッサ、ソフトウェア、及び一つ以上のメモリを含む）一つ以上のプロセッサ／ソフトウェアの一部分などの、回路及びソフトウェア（並びに／或いは、ファームウェア）の組合せ、並びに、
（ｃ）ソフトウェア又はファームウェアが物理的に存在していない場合にも、動作のためにソフトウェア又はファームウェアを必要としている一つ以上のマイクロプロセッサ又は一つ以上のマイクロプロセッサの一部分などの回路。
【００４６】
この「回路」の定義は、すべての請求項を含む本出願におけるこの用語のすべての使用に対して適用される。又、更なる例として、本出願において使用されている「回路」という用語は、一つのプロセッサ（或いは、複数のプロセッサ）、或いは、プロセッサの一部分、並びに、その（或いは、それらの）添付のソフトウェア及び／又はファームウェアのみの実装形態をも含むことになろう。又、「回路」という用語は、例えば、且つ、特定の請求項要素に適用可能である場合には、携帯電話機用のベースバンド集積回路又はアプリケーションプロセッサ集積回路、或いは、サーバ、セルラネットワーク装置、又はその他のネットワーク装置内の類似の集積回路をも含むことになろう。
【００４７】
図２は、上述の装置１を具備する電子装置を概略的に示している。例示用の電子装置は、ニアアイディスプレイ２１などの装置であってよく、或いは、ユーザへの画像の提供を可能にするその他の装置であってもよいであろう。対応する特徴について、対応する参照符号が使用されている。
【００４８】
例示用の電子装置２１は、回路３と、少なくとも一つの画像供給源２３と、内部表示エリア２４と、外部表示エリア２５と、光学投射要素２６と、少なくとも一つの検出器２７と、ユーザ入力装置２９と、を具備する。
【００４９】
制御回路３は、上述のように、処理回路５と、メモリ回路７と、を具備していてもよい。情報１３及びコンピュータプログラムコード１１は、メモリ回路７内において保存されてもよい。制御回路３は、画像供給源２３によって提供される画像を制御するべく画像供給源２３を制御するように構成されていてもよい。又、制御回路３は、検出器２７及び／又はユーザ入力装置２９から入力を受信するように構成されていてもよい。制御回路３は、画像供給源２３によって提供される画像を制御するべく、検出器２７及びユーザ入力装置２９からの入力が使用されることを可能にしてもよい。
【００５０】
画像供給源２３は、画像を生成し得る任意の手段を具備していてもよい。画像供給源２３は、ディスプレイ又はスキャナ又は任意のその他の適切な手段を具備していてもよい。
【００５１】
画像供給源２３は、内部表示エリア２４用の画像を提供するように構成されていてもよい。又、画像供給源２３は、外部表示エリア２５用の画像を提供するように構成されていてもよい。いくつかの例においては、少なくとも一つの光学投射要素２６は、画像供給源２３からの画像を内部表示エリア２４上に投射するように構成されていてもよい。又、いくつかの例においては、光学投射要素２６は、画像供給源２３からの画像の外部表示エリア２５上への投射を可能にするように構成されていてもよい。いくつかの例においては、同一の光学投射要素２６が、画像を両方の表示エリア２４、２５に投射してもよい。その他の例においては、第一光学投射要素２６は、画像を内部表示エリア２４に投射するように構成されていてもよく、且つ、第二光学投射要素２６は、画像を外部表示エリア２６に投射するように構成されていてもよい。
【００５２】
いくつかの例においては、一つ以上の光導波路が、画像供給源２３と光学投射要素２６との間において提供されてもよい。光導波路は、画像供給源２３によって提供される光の光学投射要素２６への転送を可能にし得る任意の手段を具備していてもよい。この結果、光学投射要素２６は、表示エリア２４、２５上への画像の投射を可能にし得る。
【００５３】
図２の例においては、一つの画像供給源２３のみが示されている。図２の画像供給源２３は、画像を内部表示エリア２４及び外部表示エリア２５の両方に提供するように構成されている。
【００５４】
その他の例においては、ニアアイディスプレイ２１は、画像を内部表示エリア２４に提供するように構成され得る第一画像供給源２３と、画像を外部表示エリア２５に提供するように構成され得る第二画像供給源２３と、を具備していてもよい。これは、内部表示エリア２４及び外部表示エリア２５上における異なる画像の表示を可能にし得る。
【００５５】
内部表示エリア２４は、画像が光学投射要素２６によって投射され得るニアアイディスプレイ２１の表面を具備していてもよい。これは、ユーザによる画像の観察を可能にし得る。内部表示エリア２４は、ニアアイディスプレイ２１がユーザによって装用された際に、内部表示エリア２４がユーザの眼の近傍において位置決めされ得るように、構成されていてもよい。
【００５６】
いくつかの例においては、内部表示エリア２４は、ユーザの右眼に隣接した状態において位置決めされるように構成された第一部分と、ユーザの左眼に隣接した状態において位置決めされるように構成された第二部分と、を具備していてもよい。いくつかの例においては、同一の画像供給源２３が、画像を内部表示エリア２４のそれぞれの部分に提供するように、構成されていてもよい。その他の例においては、内部表示エリア２４のそれぞれの部分ごとに、別個の画像供給源２３が提供されてもよい。例えば、第一画像供給源２３は、画像をユーザの右眼に提供するように構成されていてもよく、且つ、第二画像供給源２３は、ユーザの左眼に画像を提供するように構成されていてもよい。
【００５７】
外部表示エリア２５は、画像が光学投射要素２６によって投射され得るニアアイディスプレイ２１の別の表面を具備していてもよい。これは、外部表示エリア２５を見ているユーザによる画像の観察を可能にし得る。外部表示エリア２５は、内部表示エリア２４とは反対のニアアイディスプレイ２１の側において位置決めされるように構成されていてもよい。ニアアイディスプレイ２１は、ユーザがニアアイディスプレイ２１を装用している際に、内部表示エリア２４が、ユーザの顔面に向かって内向きに対向しつつ、外部表示エリア２５が、ユーザの顔面とは反対に外向きに対向するように、構成されていてもよい。
【００５８】
内部表示エリア２４と同様に、外部表示エリア２５も、二つの部分を具備していてもよい。又、外部表示エリア２５は、ユーザの右眼に隣接した状態において位置決めされるように構成され得る第一部分と、ユーザの左眼に隣接した状態において位置決めされるように構成され得る第二部分と、を具備していてもよい。いくつかの例においては、同一の画像供給源２３が、外部表示エリア２５のそれぞれの部分に画像を提供するように、構成されていてもよい。その他の例においては、外部表示装置２５のそれぞれの部分ごとに、別個の画像供給源２３が提供されてもよい。例えば、第一画像供給源２３が、画像を外部表示エリア２５の右手部分に提供するように構成されていてもよく、且つ、第二画像供給源２３が、外部表示エリア２５の左手部分に画像を提供するように構成されていてもよい。
【００５９】
又、ニアアイディスプレイ２１は、一つ以上の検出器２７を具備していてもよい。検出器２７は、ユーザが内部表示エリア２４及び／又は外部表示エリア２５を観察しているかどうかを検出するように構成され得る任意の手段を具備していてもよい。又、処理回路５は、一つ以上の検出器２７から情報を受信するように構成されていてもよく、且つ、情報を使用して、ユーザが内部表示エリア２４及び／又は外部表示エリア２５を観察しているかどうかを判定してもよい。
【００６０】
いくつかの例においては、検出器２７は、一つ以上の撮像装置を具備していてもよい。撮像装置は、画像をキャプチャし、且つ、キャプチャされた画像を使用して、ユーザが内部表示エリア２４又は外部表示エリア２５を見ているかどうかを判定するように、構成されていてもよい。
【００６１】
いくつかの例においては、検出器２７は、ニアアイディスプレイ２１の状態を検出する手段を具備していてもよい。例えば、これは、ニアアイディスプレイ２１が、充電のために電源に装着されていることを検出するように構成されていてもよい。このような例においては、これは、ニアアイディスプレイ２１が、現時点において、ユーザによって装用されていないと判定するべく、使用されてもよい。これは、ユーザが内部表示エリア２４及び／又は外部表示エリア２５を見ているかどうかを判定するために有用であり得るコンテキスト情報を提供し得る。又、このようなコンテキスト情報は、画像供給源２３によって提供される画像を判定するべく、使用することができよう。
【００６２】
ユーザ入力装置２９は、ユーザによるニアアイディスプレイ２１への情報の入力及びニアアイディスプレイ２１の制御を可能にする任意の手段を具備していてもよい。いくつかの例においては、ユーザ入力装置２９は、ユーザによるニアアイディスプレイ２１の一部分への接触及び／又はその折り曲げを検出する手段を具備していてもよい。例えば、入力装置は、ユーザによるニアアイディスプレイ２１の一部分の折り曲げ又はそれに対する接触を検出してもよい。いくつかの例においては、ユーザ入力装置２９は、ユーザの運動を検出するように構成され得るジェスチャ検出器を具備していてもよい。ジェスチャ検出器は、ユーザの特定の運動を検出及び識別し、且つ、識別された運動を使用したニアアイディスプレイ２１の制御を可能にするように、構成され得る任意の手段を具備していてもよい。その他の例においては、その他のユーザ入力装置２９を使用することが可能であり、例えば、マイクロフォンが、オーディオ制御入力を可能にするように構成されていてもよい。
【００６３】
ニアアイディスプレイ２１は、図２には示されていないその他の特徴を具備し得ることを理解されたい。例えば、ニアアイディスプレイ２１は、ヘッドピースなどの取付け部分を具備していてもよい。取付け部分は、ユーザの頭部又は顔面上におけるニアアイディスプレイ２１の取付けを可能にし得る。ニアアイディスプレイ２１がユーザの頭部又は顔面上において取り付けられた際に、ユーザの頭部又は顔面は、ニアアイディスプレイ２１の重量又は少なくとも重量の一部分を支持してもよい。取付け部分は、ユーザの眼の近傍における内部表示エリア２４の位置決めを可能にし得る。取付け部分は、眼鏡方式によるニアアイディスプレイ１２の装用を可能にし得るイヤピースを有するフレームを具備していてもよい。
【００６４】
図３は、例示用の一方法を示している。方法は、装置１と、上述のニアアイディスプレイ２１などの装置と、を使用して実装されてもよい。
【００６５】
方法は、ブロック３１において、ユーザが外部表示エリア２５又は内部表示エリア２４を観察しているかどうかを検出するステップを具備する。又、方法は、ブロック３３において、ユーザが内部表示エリア２４を観察していることを検出するのに応答して内部表示エリア２４用の画像を提供するように画像供給源２３を制御するステップを具備する。又、方法は、ブロック３５において、ユーザが外部表示エリア２５を観察していることを検出するのに応答して外部表示エリア２５用の画像を提供するように画像供給源２３を制御するステップを具備する。
【００６６】
図４〜図１０Ｂは、方法、装置１、及びニアアイディスプレイ２１の例を更に詳細に示している。
【００６７】
図４は、ニアアイディスプレイ２１の外部表示エリア２５を観察するユーザ４１を示している。ニアアイディスプレイ２１は、上述のものであってもよい。制御回路３などのニアアイディスプレイ２１のコンポーネントが、ニアアイディスプレイ２１内において提供されていてもよく、且つ、従って、使用中の電子装置２１を示す図４には、示されていないことを理解されたい。
【００６８】
図４の例においては、ニアアイディスプレイ２１は、眼鏡として装用されるように構成されている。図４の例示用のニアアイディスプレイ２１は、フレーム４５を具備する。フレーム４５は、イヤピースと、フロントフレーム４７と、を具備する。イヤピースは、ユーザ４１の頭部へのニアアイディスプレイ２１の取付けを可能にし得る。フロントフレーム４７は、ユーザ４１がニアアイディスプレイ２１を装用した際に、ユーザ４１の眼に近接した状態において位置決めされるように構成されていてもよい。フロントフレーム４７は、内部表示エリア２４と、外部表示エリア２５と、を具備していてもよい。図４の例においては、ユーザは、ニアアイディスプレイ２１を装用しておらず、且つ、従って、イヤピースは、フロントフレーム４７の背後において折り畳まれていてもよい。
【００６９】
図４の例においては、外部表示エリア２５のみが示されている。内部表示エリア２４は、ニアアイディスプレイ２１の反対側において提供されることになるであろうことを理解されたい。内部表示エリア２４は、ニアアイディスプレイ２１を装用している際にユーザ４１によって観察され得るように、提供されることになろう。
【００７０】
図４の例においては、外部表示エリア２５は、二つの部分を具備している。第一部分は、ニアアイディスプレイ２１の右手側において位置決めされており、且つ、第二部分は、ニアアイディスプレイ２１の左手側において位置決めされている。外部表示エリア２５は、レンズが眼鏡内において提供されることになるであろう位置において、提供されている。
【００７１】
図４の例においては、ユーザ４１は、ニアアイディスプレイ２１を装用してはいない。ユーザ４１は、ユーザがニアアイディスプレイ２１の外部表面を観察し得るように、位置決めされている。一つ以上の検出器２７が、ユーザが外部表示エリア２５を観察していることを検出してもよい。又、検出器２７は、ユーザ４１が内部表示エリア２４を観察していないことを検出するように構成されていてもよい。
【００７２】
ユーザ４１が外部表示エリア２５を観察していることを検出するのに応答して、制御回路３は、図４に示されているように、外部表示エリア用の画像４３を提供するように画像供給源２３を制御してもよい。
【００７３】
図４の例においては、画像４３は、外部表示エリア２５のそれぞれの部分内において提供されている。図４の例においては、画像４３は、ニアアイディスプレイ２１によって受信されたものであり得るメッセージに関係した情報を具備している。本開示のその他の例においては、その他の情報及び画像４３が提供され得ることを理解されたい。
【００７４】
いくつかの例においては、制御回路３は、外部表示エリア２５上において提供され得る画像が、内部表示エリア２４上において提供され得る画像とは異なるように、構成されていてもよい。
【００７５】
いくつかの例においては、内部表示エリア２４上において提供される画像は、外部表示エリア２５上において表示される画像との比較において、異なる情報に関係したものであってもよい。制御回路３は、限られた情報のみが外部表示エリア２５上において表示され得るように、外部表示エリア２５上において表示される画像を制御してもよい。例えば、メモリ回路７内において保存され得るすべての情報１３が、内部表示エリア２４上において表示されてもよく、その理由は、電子装置を装用している際には、これらの情報は、ニアアイディスプレイ２１のユーザ４１によって観察され得るからである。但し、外部表示エリア２５上に表示されてもよいのは、メッセージが受信されているかどうか、或いは、時刻又はニアアイディスプレイ２１の電源状態、或いは、その他の情報などの、制限された情報のみであり、その理由は、これらの情報が、その他のユーザによって観察され得るからである。これは、個人情報が、ニアアイディスプレイ２１のユーザによってのみ、観察され得ることを保証し得る。
【００７６】
いくつかの例においては、画像供給源２３は、内部表示エリア２４用の第一フォーマット及び外部表示エリア２５用の第二フォーマットにおいて画像を提供するように制御されてもよい。例えば、いくつかの例においては、画像供給源２３は、外部表示エリア２４上における表示用の第一向き及び外部表示エリア２５上における表示用の第二向きにおいて画像を提供するように制御されてもよい。これは、いずれかの表示エリア２４、２５からの画像を観察した際にも、画像が、ユーザ４１用の正しい向きを有することを保証し得る。
【００７７】
いくつかの例においては、外部表示エリア２５用に提供される画像４３は、低エネルギーモードにおいて表示されてもよい。低エネルギーモードにおいては、画像４３は、内部表示エリア２４上における画像４３の表示との比較において電源要件を低減した方式により、外部表示エリア２５上において表示されてもよい。例えば、画像は、単色で、相対的に小さな視野において、相対的に小さなリフレッシュレートにより、或いは、任意のその他の低減されたエネルギー方式により、表示されてもよい。
【００７８】
いくつかの例においては、外部表示エリア２５用に提供される画像４３の輝度は、周辺光レベルを考慮するように、調節されてもよい。このような例においては、光検出器が、現時点の光レベルを計測するように構成されていてもよい。ユーザ４１が任意の周辺光供給源を遮断している可能性があることから、これは、ユーザが外部表示エリア２５を観察している際に有用であり得る。
【００７９】
図４の例は、ニアアイディスプレイ２１を現時点において装用してはいないユーザ４１が、ニアアイディスプレイ２１を一瞥することに応答して、電子装置から情報を取得することを可能にしている。これは、時刻又はメッセージが受信されているかどうかなどの、何かのチェックを所望している場合に、ユーザが、ニアアイディスプレイ２１を装用する必要がないことを意味することから、これは、ユーザ４１にとって有用であり得る。この結果、ニアアイディスプレイ２１は、ユーザ４１にとって使用するのが便利なものになり得る。
【００８０】
図５Ａ及び図５Ｂは、使用中の別の例示用のニアアイディスプレイ２１を示している。図５Ａ及び図５Ｂの例示用のニアアイディスプレイ２１は、図４の例示用のニアアイディスプレイ２１に類似している。対応する特徴について、対応する参照符号が使用されている。
【００８１】
図５Ａにおいては、ユーザは、ニアアイディスプレイ２１を装用してはいない。図５Ａにおいては、ニアアイディスプレイ２１は、充電のために電源に接続されている。図５Ａの例においては、ニアアイディスプレイ２１は、無線充電器５１上において位置決めされている。ニアアイディスプレイ２１は、ユーザ４１が、内部表示エリア２４ではなく、外部表示エリア２５を観察し得るように、無線充電器５１内において位置決めされている。
【００８２】
図５Ａにおいては、ユーザ４１は検出されておらず、且つ、ニアアイディスプレイ２１は、スタンバイモードにおいて構成されている。スタンバイモードにおいては、画像は、内部表示エリア２４又は外部表示エリア２５のいずれにも表示されない。スタンバイモードは、低エネルギー動作モードであってもよい。
【００８３】
ニアアイディスプレイ２１がスタンバイモードにある際には、ユーザ４１がニアアイディスプレイ２１を一瞥するかどうかを検出するように、一つ以上の検出器２７が依然として構成されてもよい。
【００８４】
図５Ｂの例においては、検出器２７が、ユーザ４１がニアアイディスプレイ２１を一瞥していることを検出している。例えば、位置検出器が、ユーザ４１がニアアイディスプレイ２１に近接していることを検出してもよく、且つ／又は、撮像装置が、ユーザ４１が外部表示エリア２５を観察していることを検出してもよい。
【００８５】
ニアアイディスプレイ２１は、ユーザ４１が外部表示エリア２５を観察していることを検出するのに応答して、ニアアイディスプレイ２１が、スタンバイモードを離脱し、且つ、表示動作モードに入るように、構成されていてもよい。表示動作モードにおいては、ニアアイディスプレイ２１が無線充電器５１内において位置決めされた状態に留まっている状態で、画像４３がユーザ４１によって観察され得るように、画像４３が外部表示エリア２５上において表示される。
【００８６】
図５Ｂの例においては、外部表示エリア２５上において表示された画像４３は、現時点の時刻の通知を具備している。本開示のその他の例においては、任意のその他の適切な画像が表示され得ることを理解されたい。
【００８７】
いくつかの例においては、表示される画像及び／又は画像の表示に使用される表示エリア２４、２５を制御するために使用され得るコンテキスト情報を提供するべく、ニアアイディスプレイ２１の位置が使用されてもよい。例えば、ニアアイディスプレイ２１が無線充電器５１内において位置決めされていると判定された場合には、ユーザ４１がニアアイディスプレイ２１を装用してはおらず、且つ、従って、内部表示エリア２４について画像を提供する必要がないと判定することができる。
【００８８】
情報を観察するために、無線充電器５１からニアアイディスプレイ２１を取り外す必要がないことから、このような例は、ニアアイディスプレイ２１からの情報を観察する便利な方法をユーザ４１に提供している。又、ニアアイディスプレイ２１は、ユーザ４１が外部表示エリア２５を見ていることを検出することが可能であり、且つ、従って、ユーザ４１が、特定のユーザ入力により、ニアアイディスプレイ２１をスタンバイ動作モードから離脱させる必要がない。
【００８９】
図４及び図５Ｂの例においては、同一の画像が、外部表示エリア２５のそれぞれの部分上において表示されている。これらの画像４３は、同一の画像供給源２３により、或いは、異なる画像供給源２３により、提供されてもよい。その他の例においては、異なる画像が、外部表示エリア２５のそれぞれの部分内において提供され得ることを理解されたい。例えば、第一画像供給源２３が、画像を外部表示エリア２５の右手側に提供するように構成されていてもよく、且つ、第二画像供給源２３が、異なる画像を外部表示エリア２５の左手側に提供するように構成されていてもよい。
【００９０】
図６Ａ〜図６Ｄは、例示用のニアアイディスプレイ２１と、画像供給源２３によって提供され得ると共にユーザ４１によって観察され得る画像６１と、を示している。
【００９１】
図６Ａは、本開示のいくつかの例において使用され得るニアアイディスプレイ２１のコンポーネントを概略的に示している。ニアアイディスプレイ２１は、画像供給源２３、内部表示エリア２４、外部表示エリア２５、及び光学投射要素２６を具備していてもよく、これらは、上述のものであってもよい。
【００９２】
図６Ａの例においては、内部表示エリア２４は、ユーザ４１のそれぞれの眼６３ごとに一つずつである、二つの部分を具備している。又、外部表示エリア２５も、それぞれの内部表示エリア２５に対応した一つずつである、二つの部分を具備している。外部表示エリア２５は、内部表示エリア２４とは反対のニアアイディスプレイの側において提供されている。
【００９３】
図６Ａの例においては、内部表示エリア２４のそれぞれの部分ごとに一つずつである、二つの画像供給源２３が提供されている。これは、右眼に提供される画像の、左眼に提供される画像とは独立した制御を可能にし得る。いくつかの例においては、単一の画像供給源２３のみが提供されてもよい。単一の画像供給源２３は、右眼及び左眼の両方について同一の画像を提供するように構成されていてもよい。
【００９４】
図６Ａの例示用のニアアイディスプレイ２１は、画像供給源２３と光学投射要素２６との間において光導波路６５を具備する。光導波路６５は、画像供給源２３からの光ビームをユーザ４１の眼６３の近傍の位置まで導波するように構成され得る任意の手段を具備していてもよい。光導波路６５は、光学投射要素２６に結合されていてもよい。光学投射要素２６は、矢印６７によって示されているように、内部表示エリア２４上への画像の投射を可能にするように構成されていてもよい。これは、ニアアイディスプレイ２１を装用したユーザによる画像供給源２３によって提供された画像の内部表示エリア２４上における観察を可能にし得る。光学要素は、完全な効率性を有してはいないことから、矢印６８によって示されているように、一部の光が光学投射要素２６及び光導波路６５から漏洩し得る。これは、内部表示エリア２４及び外部表示エリア２５の両方に画像を投射するための光学投射要素２６の使用を可能にし得る。又、これは、内部表示エリア２４用に意図されている画像供給源２３からの画像の外部表示エリア２５上における観察をも可能にし得る。
【００９５】
図６Ｂは、画像供給源２３によって内部表示エリア２４について提供され得る画像６１の一例を示している。画像６１は、ニアアイディスプレイ２１のユーザによって選択され得るアプリケーションのリストを具備している。ニアアイディスプレイ２１は、画像６１内のリストからアプリケーションを選択するためのユーザによるユーザ入力装置２９の使用を可能にするように構成されていてもよい。
【００９６】
画像６１は、拡張又は仮想提供画像として提供されてもよい。図６Ｃは、ニアアイディスプレイ２１を装用している際に、画像６１が、ニアアイディスプレイ２１のユーザに対して表示され得る方式を示している。これは、画像６１が内部表示エリア２４内において表示され得る方式を示している。この例においては、画像６１は、拡張現実画像として提供されてもよく、且つ、従って、画像供給源２３によって提供された画像は、オーバーレイした現実世界の物体として表示されている。
【００９７】
図６Ｄは、ニアアイディスプレイ２１を装用していない際に、画像６１が、ニアアイディスプレイ２１のユーザに対して表示され得る方式を示している。これは、画像６１が外部表示エリア２５上において表示され得る方式を示している。この例においては、画像６１は、外部表示エリア２５を観察しているユーザに対して表と裏とが逆になった状態で表示されるように、反転された状態で表示されている。外部表示エリア２５内の画像６１は、画像供給源２３によって提供された画像６１の１８０度の回転として表示されている。画像６１は、光導波路６５及び光学投射要素２６などの光学コンポーネントから漏洩した光に起因して、外部表示エリア２５上において可視状態となり得る。
【００９８】
図７Ａ〜図７Ｃは、別の例示用のニアアイディスプレイ２１と、画像供給源２３によって提供され得ると共にユーザ４１によって観察され得る画像７１と、を示している。図７Ａ〜図７Ｃは、効率的なニアアイディスプレイ２１を提供するべく、光学コンポーネントからの光の漏洩が使用され得る方式を示している。
【００９９】
図７Ａは、本開示のいくつかの例において使用され得るニアアイディスプレイ２１のコンポーネントを概略的に示している。ニアアイディスプレイ２１は、図６Ａのニアアイディスプレイ２１と同一であってもよい。対応する特徴について、対応する参照符号が使用されている。
【０１００】
図７Ａの例においては、ユーザ４１は、外部表示エリア２５を観察している状態にあってもよい。これは、一つ以上の検出器２７によって検出することができる。ユーザ４１が外部表示エリア２５を観察していることを検出するのに応答して、画像供給源２３は、外部表示エリア２５用の画像７１を提供するように構成されていてもよい。
【０１０１】
いくつかの例においては、画像７１が外部表示エリア２５について提供される際には、光学コンポーネントは、光のうちの相対的に大きな割合が外部表示エリア２５に提供されるように構成されていてもよい。矢印７３によって示されているように、外部表示エリア２５に提供される光の割合は、ユーザが内部表示エリア２４を観察している際に外部表示エリア２５に漏洩される光の割合との比較において、相対的に大きなものであってもよい。光学コンポーネントは、完全な効率性を有してはいないことから、矢印７５によって示されているように、ある程度の光が内部表示エリア２４に漏洩し得ることを理解されたい。
【０１０２】
図７Ｂは、画像供給源２３により、外部表示エリア２５について提供され得る画像７１の一例を示している。画像７１は、電子装置２１によって受信されたメッセージの通知を有している。図７Ｂにおいては、画像供給源によって提供された画像７１は、画像供給源２３によって提供された際に後ろ向きに表示されるように、水平方向において回転されている。
【０１０３】
図７Ｃは、外部表示エリア２５を観察している際に、画像７１が、ニアアイディスプレイ２１のユーザに対して表示され得る方式を示している。この例においては、画像７１は、外部表示エリア２５内において適切に表示されており、その理由は、これが、画像供給源２３によって提供された画像７１の１８０度の回転を表示しているからである。画像７１は、内部表示エリア２４内においては、表と裏とが逆になった状態で表示されるであろうことを理解されたい。
【０１０４】
図７Ａ〜図７Ｃの例は、外部表示エリア上における観察に適するような、画像供給源２３によって提供される画像のフォーマッティングを可能にしている。図７Ａ〜図７Ｃの例においては、フォーマッティングは、画像７１の回転を有している。その他の例においては、フォーマッティングは、画像７１の色、画像７１のリフレッシュレート、画像が表示される外部表示エリア２５の一部分、又は任意のその他の適切な特徴の変更を有し得るであろう。
【０１０５】
図８Ａ〜図８Ｃは、別の例示用のニアアイディスプレイ２１と、画像供給源２３によって提供され得ると共にユーザ４１によって観察され得る画像８１と、を示している。
【０１０６】
図８Ａは、本開示のいくつかの例において使用され得るニアアイディスプレイ２１のコンポーネントを概略的に示している。ニアアイディスプレイ２１は、図６Ａ及び図７Ａのニアアイディスプレイ２１に類似している。対応する特徴について、対応した参照符号が使用されている。
【０１０７】
図８Ａの例示用のニアアイディスプレイ２１は、図６Ａ及び図７Ａのニアアイディスプレイ２１と異なっており、その理由は、図６Ａ及び図７Ａにおいては、ニアアイディスプレイ２１のフロントフレーム４７がフラットであるのに対して、図８Ａにおいては、ニアアイディスプレイ２１のフロントフレーム４７は、中心において曲がりを有しているからである。図６Ａ及び図７Ａの例においては、ニアアイディスプレイ２１の右手側の光導波路６５は、ニアアイディスプレイ２１の左手側の光導波路６５と同一直線上に位置した状態において提供されている。この結果、左手側によって放出される光のビームは、右手側によって放出される光のビームと平行に又は実質的に平行になっている。
【０１０８】
逆に、図８Ａの例においては、ニアアイディスプレイ２１の右手側の光導波路６５は、ニアアイディスプレイ２１の左手側の光導波路６５に対して所定の角度を有するように提供されている。この結果、左手側によって放出される光のビームは、電子装置の右手側によって放出される光のビームに対して所定の角度を有することになる。個々の光導波路６５には、ユーザが内部表示エリア２４を観察している際に、矢印８３によって示されているように、光のビームがユーザ４１の眼６３に向かって導波されるように、所定の角度が付与されてもよい。いくつかの例においては、光導波路６５は、異なるユーザ４１ごとの光ビームの方向の調節を可能にするべく、調節可能であってもよい。この結果、効率的なニアアイディスプレイ２１が提供され得るが、これは、光のビームが、矢印８５によって示されているように、外部表示エリア２５内においては、相互に離れるように導波され得ることを意味し得る。図８Ａ〜図８Ｃの例においては、画像供給源２３は、外部表示エリア２５からの光のビームの発散について調節するように、制御されてもよい。
【０１０９】
図８Ｂは、角度が付与されたフロントフレーム４７を具備するニアアイディスプレイ２１内において画像供給源２３によって外部表示エリア２５用に提供され得る画像８１の一例を示している。画像８１は、ニアアイディスプレイ２１によって受信されたメッセージの通知を具備している。図８Ｂにおいては、画像供給源２１によって提供された画像８１は、後ろ向きにおいて表示されるように、水平方向において回転されている。又、画像８１は、図７Ｂの画像７１との比較において、異なる相対位置において提供されている。図７Ｂの例においては、画像７１は、中心において提供されている。図８Ｂの例においては、画像８１は、右手側に提供されている。
【０１１０】
図８Ｃは、外部表示エリア２５を観察している際に、画像８１が、ニアアイディスプレイ２１のユーザ４１に対して表示され得る方式を示している。この例においては、画像８１は、外部表示エリア２５内において適切に表示されており、その理由は、これが、画像供給源２３によって提供された画像８１の１８０度の回転を表示しているからである。画像８１は、内部表示エリア２４内においては、表と裏とが逆の状態において表示されることを理解されたい。又、画像は、画像供給源２３による画像８１のフォーマッティングに起因して、合焦状態において、且つ、外部表示エリア上の適切な位置において、表示されている。
【０１１１】
図９Ａ〜図９Ｃは、別の例示用のニアアイディスプレイ２１と、画像供給源２３によって提供され得ると共にユーザ４１によって観察され得る画像９１と、を示している。図９Ａ〜図９Ｃの例示用のニアアイディスプレイ２１は、内部表示エリア２４及び外部表示エリア２５に対する異なる画像の提供を可能にしている。
【０１１２】
図９Ａは、本開示のいくつかの例において使用され得るニアアイディスプレイ２１のコンポーネントを概略的に示している。ニアアイディスプレイ２１は、図６Ａ及び図７Ａの電子装置２１に類似している。対応する特徴について、対応する参照符号が使用されている。
【０１１３】
図９Ａの例示用の電子装置２１は、図６Ａ及び図７Ａの電子装置と異なっており、その理由は、図６Ａ及び図７Ａにおいては、単一の画像供給源２３が内部表示エリア２４及び外部表示エリア２５について提供されているのに対して、図９Ａにおいては、二つの画像供給源２３が提供されているからである。図９Ａの例示用のニアアイディスプレイ２１においては、第一画像供給源２３は、矢印９２によって示されているように、内部表示エリア２４用の画像を提供しており、且つ、第二画像供給源２３は、矢印９４によって示されているように、外部表示エリア２５用の画像を提供している。又、第一光導波路６５が、第一画像供給源と内部表示エリア２４との間に提供され、且つ、第二光導波路６５が、第二画像供給源２３と外部表示エリア２５との間において提供されるように、二つの光導波路６５が提供されてもよい。これは、外部表示エリア２５上において提供される画像とは独立した内部表示エリア２４上における画像の表示を可能にし得る。
【０１１４】
図９Ｂは、内部表示エリア２４内において観察され得る例示用の画像９１を示している。図９Ｂは、ニアアイディスプレイ２１を装用している際に、画像９１がニアアイディスプレイ２１のユーザ４１に対して表示され得る方式を示している。例示用の画像９１は、ニアアイディスプレイ２１のユーザによって選択され得るアプリケーションのリストを具備している。その他の例においては、その他の画像が表示され得ることを理解されたい。
【０１１５】
図９Ｃは、外部表示エリア２５内において観察され得る例示用の画像９３を示している。図９Ｃは、外部表示エリア２５を観察している際に、画像９３が電子装置のユーザに対して表示され得る方式を示している。この例においては、画像９３は、内部表示エリア２４上において表示される画像とは異なる情報を有している。図９Ｃの特定の例においては、外部表示エリア用の画像９３は、受信されたメッセージに関する通知を具備している。
【０１１６】
図９Ａ〜図９Ｃの例は、表示エリア２４、２５のそれぞれの表示エリア上における異なる画像の表示を可能にしている。これは、その他の人々が観察不能である内部表示エリア２４上においてユーザ４１が情報を観察することを可能にし得る。いくつかの例においては、これは、ニアアイディスプレイ２１を装用しているユーザ４１の周りのその他のユーザに情報を提供するべく、使用されてもよい。例えば、これは、ユーザ４１が現時点において別のタスクを実行しているという通知を提供してもよい。
【０１１７】
図１０Ａ及び図１０Ｂは、本開示のいくつかの例において使用され得るニアアイディスプレイ２１内の光学コンポーネントを概略的に示している。
【０１１８】
図１０Ａの例においては、一つの画像供給源２３のみが提供されている。これは、内部表示エリア２４及び外部表示エリア２５の両方用の画像を提供するように構成されていてもよい。
【０１１９】
図１０Ａの例においては、異なる表示エリア２４、２５について、異なる光学コンポーネントが提供されている。図１０Ａにおいては、画像供給源２３からの光を第一光学投射要素２６まで導波するべく、第一光導波路６５が提供されている。第一光学投射要素２６は、画像を内部表示エリア２４上に投射するように構成されていてもよい。画像供給源２３からの光を第二光学投射要素２６まで導波するべく、第二光導波路６５が提供されている。第二光学投射要素２６は、外部表示エリア２５上に画像を投射するように構成されてもよい。
【０１２０】
これらの異なる光学コンポーネントは、異なる表示エリア２４、２５に対する異なる量の光の提供を可能にし得る。例えば、図１０Ａの例においては、第一光学投射要素２６は、第二光学投射要素２６よりも大きい。これは、内部表示エリア２４が外部表示エリア２６よりも大きくなることを可能にし得る。
【０１２１】
図１０Ｂの例においては、二つの画像供給源２３が提供されている。これは、外部表示エリア２５用に提供される画像とは独立した内部表示エリア２４用の画像の提供を可能にし得る。
【０１２２】
又、図１０Ｂの例においては、異なる表示エリア２４、２５について、異なる光学要素が提供されている。図１０Ｂにおいては、第一画像供給源２３からの光を第一光学投射要素２６まで導波するべく、第一光導波路６５が提供されている。第一光学投射要素２６は、画像を内部表示エリア上に投射するように構成されていてもよい。第二画像供給源２３からの光を第二光学投射要素２６まで導波するべく、第二光導波路６５が提供されている。第二光学投射要素２６は、外部表示エリア２５上に画像を投射するように構成されていてもよい。
【０１２３】
又、異なる画像の提供を可能にするのみならず、図１０Ａを参照して上述したように、異なる光学コンポーネントは、異なる表示エリア２４、２５に対する異なる量の光の提供をも可能にし得る。
【０１２４】
いくつかの例においては、異なる光学コンポーネントは、異なる光学特性を有するように構成されていてもよい。例えば、光導波路６５及び光学投射要素２６は、カラー画像を内部表示エリア２４に提供するように構成されていてもよい。その他の光導波路６５及び光学投射要素２６は、外部表示エリア２５上における単色画像の提供を可能にするべく、単一の波長又は波長の範囲について最適化されていてもよい。これは、内部表示エリア２４及び外部表示エリア２５の両方上において画像を表示するように構成され得る効率的なニアアイディスプレイ２１を提供し得る。
【０１２５】
図３において示されているブロックは、必ずしも、これらのブロックについて必要な又は好ましい順序が存在することを意味するものではなく、且つ、ブロックの順序及び構成は、変更されてもよい。更には、いくつかのブロックを省略することも可能であり得る。
【０１２６】
「具備する（comprise）」という用語は、本明細書においては、排他的な意味ではなく、包含的な意味を伴って使用されている。即ち、Ｙを有するＸに対する任意の参照は、Ｘが、一つのＹのみを有してもよく、或いは、複数のＹを有してもよいことを通知している。排他的な意味を伴って「具備する」を使用することが意図されている場合には、それは、「一つの〜のみを具備する（comprising only one...）」を参照することにより、或いは、「〜から構成される（consisting）」を使用することにより、文脈において明示されることになる。
【０１２７】
この簡潔な説明においては、様々な例が参照されている。例との関係における特徴又は機能の説明は、それらの特徴又は機能がその例において存在することを通知している。テキスト中における「例（example）」又は「例えば（for example）」又は「〜してもよい（may）」という用語の使用は、明示的に記述されているかどうかとは無関係に、そのような特徴又は機能が、一例として記述されているかどうかとは無関係に、少なくとも記述されている例においては、存在しており、且つ、それらが、必須ではないものの、いくつかの、又はすべての、その他の例において、存在し得る、ことを表記している。従って、「例」、「例えば」、又は「〜してもよい」は、所定の例のクラスにおける一つの特定のインスタンスを参照している。インスタンスのプロパティは、そのインスタンスのみのプロパティ、そのクラスのプロパティ、或いは、そのクラス内のインスタンスのうちの、いくつかの、但し、すべてではない、インスタンスを含むクラスのサブクラスのプロパティであってもよい。従って、別の例を参照してではなく、一つの例を参照して記述されている特徴は、可能な場合には、その他の例においても使用することができるが、必ずしも、その他の例において使用される必要はない、ことが黙示的に開示されている。
【０１２８】
以上の段落においては、様々な例を参照し、本開示の例について説明したが、特許請求されている本発明の範囲を逸脱することなしに、付与されている例に対する変更が実施され得ることを理解されたい。
【０１２９】
以上の説明において記述されている特徴は、明示的に記述されている組合せ以外の組合せにおいて使用されてもよい。
【０１３０】
特定の特徴を参照し、機能について説明したが、それらの機能は、記述されているかどうかとは無関係に、その他の特徴によって実行可能であり得る。
【０１３１】
又、特定の実施形態を参照し、特徴について説明したが、それらの特徴は、記述されているかどうかとは無関係に、その他の実施形態においても存在し得る。
【０１３２】
以上の説明においては、特定の重要性を有するものと考えられる本発明の特徴に注目を集めるように努力したが、本出願人は、特別に強調されているかどうかとは無関係に、以上において参照されている、且つ／又は、図面において示されている、すべての特許可能な特徴又は特徴の組合せに関連した保護を請求していることを理解されたい。
【図１】
2018512642.tif 000002
【図２】
2018512642.tif 000003
【図３】
2018512642.tif 000004
【図４】
2018512642.tif 000005
【図５Ａ】
2018512642.tif 000006
【図５Ｂ】
2018512642.tif 000007
【図６Ａ】
2018512642.tif 000008
【図６Ｂ】
2018512642.tif 000009
【図６Ｃ】
2018512642.tif 000010
【図６Ｄ】
2018512642.tif 000011
【図７Ａ】
2018512642.tif 000012
【図７Ｂ】
2018512642.tif 000013
【図７Ｃ】
2018512642.tif 000014
【図８Ａ】
2018512642.tif 000015
【図８Ｂ】
2018512642.tif 000016
【図８Ｃ】
2018512642.tif 000017
【図９Ａ】
2018512642.tif 000018
【図９Ｂ】
2018512642.tif 000019
【図９Ｃ】
2018512642.tif 000020
【図１０Ａ】
2018512642.tif 000021
【図１０Ｂ】
2018512642.tif 000022
【国際調査報告】
2018512642.tif 000023
2018512642.tif 000024